(57)【要約】【課題】画面が切り替わったとしても選択された任意の領域の画像を表示し続けることができる。【解決手段】入力部１０１は、映像信号を入力する。リモコン２は、ユーザーの操作を受ける。記憶部１０５は、領域の選択の指示に応じて、入力部１０１が入力する映像信号における領域の画像情報を記憶する。合成部１０２は、入力部１０１が入力する映像信号が示す画像情報に記憶部１０５が記憶する領域の画像情報を重ね合わせた画像情報を示す映像信号を生成する。出力部１０３は、合成部１０２が生成した映像信号が示す画像を表示する。【選択図】図１
2010191362.tif 000002
【特許請求の範囲】
【請求項１】
映像信号を入力する入力部と、
ユーザーの操作を受ける操作部と、
前記操作部が受ける領域の選択の指示に応じて、前記入力部が入力する映像信号における前記領域の画像情報を記憶する記憶部と、
前記入力部が入力する映像信号が示す画像情報に前記記憶部が記憶する前記領域の画像情報を重ね合わせた画像情報を示す映像信号を生成する合成部と、
前記合成部が生成した映像信号が示す画像を表示する表示部と、
を備えることを特徴とする画像表示装置。
【請求項２】
記憶媒体を接続する接続部と、
前記記憶部が記憶する前記領域の画像情報を前記接続部に接続された前記記憶媒体に書き込む画像情報出力部と、
を備えることを特徴とする請求項１に記載の画像表示装置。
【請求項３】
前記操作部が受ける前記領域の移動の指示に応じて、前記領域の画像を表示する位置を決定する制御部を備え、
前記合成部は、前記制御部が決定した位置に前記領域の画像が表示されるように映像信号を生成する
ことを特徴とする請求項１又は２に記載の画像表示装置。
【請求項４】
前記記憶部は、複数の領域の画像情報と該画像情報の位置を記憶し、
前記制御部は、前記領域が他の領域と重ならないように前記領域の画像を表示する位置を決定することを特徴とする請求項３に記載の画像表示装置。
【請求項５】
前記記憶部は、複数の領域の画像情報と該画像情報の位置を記憶し、
前記制御部は、前記領域と他の領域が重なる場合、前記各領域の優先度を決定し、
前記合成部は、前記制御部が決定した前記優先度の高い領域の画像が上に表示されるように映像信号を生成する
ことを特徴とする請求項３に記載の画像表示装置。
【請求項６】
映像信号を入力する入力部と、
ユーザーの操作を受ける操作部と、
前記操作部が受ける領域の選択の指示に応じて、前記入力部が入力する映像信号における前記領域の画像情報を記憶する記憶部と、
前記入力部が入力する映像信号が示す画像情報に前記記憶部が記憶する前記領域の画像情報を重ね合わせた画像情報を示す映像信号を生成する合成部と、
前記合成部が生成した映像信号が示す画像を表示する表示部と、
を備えることを特徴とするプロジェクター。
【発明の詳細な説明】
【技術分野】
【０００１】
本発明は、画像表示装置及びプロジェクターに関する。
【背景技術】
【０００２】
従来から、表示している画面上から任意の領域を抽出して、抽出した領域を画面全体に表示する表示装置がある（例えば、特許文献１参照）。
【先行技術文献】
【特許文献】
【０００３】
【特許文献１】特開平９−６９９８８号公報
【発明の概要】
【発明が解決しようとする課題】
【０００４】
ところで、表示している画面中にスクロールさせたくない文章、もしくは映像中に停止させておきたい情報がある場合には、その文章や情報を表示したままにしておきたいという要望がある。
しかしながら、特許文献１に記載された技術では、画面が切り替わると表示したままにしておきたい任意の領域の画像も切り替わる、という問題がある。
【０００５】
本発明は上記の点に鑑みてなされたものであり、その目的は、画面が切り替わったとしても選択された任意の領域の画像を表示し続けることができる画像表示装置及びプロジェクターを提供することにある。
【課題を解決するための手段】
【０００６】
本発明は上記の課題を解決するためになされたものであり、本発明の一態様は、映像信号を入力する入力部と、ユーザーの操作を受ける操作部と、前記操作部が受ける領域の選択の指示に応じて、前記入力部が入力する映像信号における前記領域の画像情報を記憶する記憶部と、前記入力部が入力する映像信号が示す画像情報に前記記憶部が記憶する前記領域の画像情報を重ね合わせた画像情報を示す映像信号を生成する合成部と、前記合成部が生成した映像信号が示す画像を表示する表示部と、を備えることを特徴とする画像表示装置である。
【０００７】
また、本発明の一態様は、映像信号を入力する入力部と、ユーザーの操作を受ける操作部と、前記操作部が受ける領域の選択の指示に応じて、前記入力部が入力する映像信号における前記領域の画像情報を記憶する記憶部と、前記入力部が入力する映像信号が示す画像情報に前記記憶部が記憶する前記領域の画像情報を重ね合わせた画像情報を示す映像信号を生成する合成部と、前記合成部が生成した映像信号が示す画像を表示する表示部と、を備えることを特徴とするプロジェクターである。
【０００８】
この発明によれば、操作部により選択された領域の画像情報を記憶し、記憶した画像情報を入力する映像信号が示す画像情報に重ね合わせて表示するため、入力する映像信号が示す画像が切り替わったとしても、選択された領域の画像は表示されたままである。これにより、画面が切り替わったとしても選択された任意の領域の画像を表示し続けることができる。
【０００９】
また、本発明の一態様は、上記の画像表示装置において、記憶媒体を接続する接続部と、前記記憶部が記憶する前記領域の画像情報を前記接続部に接続された前記記憶媒体に書き込む画像情報出力部と、を備えることを特徴とする。
【００１０】
この発明によれば、選択した領域の画像情報を例えばメモリーカードやハードディスクなどの記憶媒体に記憶することができる。
【００１１】
また、本発明の一態様は、上記の画像表示装置において、前記操作部が受ける前記領域の移動の指示に応じて、前記領域の画像を表示する位置を決定する制御部を備え、前記合成部は、前記制御部が決定した位置に前記領域の画像が表示されるように映像信号を生成することを特徴とする。
【００１２】
この発明によれば、選択された領域の画像を表示画面上の任意の位置に移動して表示することができる。
【００１３】
また、本発明の一態様は、上記の画像表示装置において、前記記憶部は、複数の領域の画像情報と該画像情報の位置を記憶し、前記制御部は、前記領域が他の領域と重ならないように前記領域の画像を表示する位置を決定することを特徴とする。
【００１４】
この発明によれば、複数の領域を選択することができる。また、選択された領域の画像を他の選択された領域と重なる位置に移動することはできない。これにより、２つの領域の画像が重なって一方の領域の画像を確認することができないといったことがない。
【００１５】
また、本発明の一態様は、上記の画像表示装置において、前記記憶部は、複数の領域の画像情報と該画像情報の位置を記憶し、前記制御部は、前記領域と他の領域が重なる場合、前記各領域の優先度を決定し、前記合成部は、前記制御部が決定した前記優先度の高い領域の画像が上に表示されるように映像信号を生成することを特徴とする。
【００１６】
この発明によれば、複数の領域を選択することができる。また、選択された領域の画像を他の選択された領域と重なる位置に移動した場合、優先度の高い領域の画像が上に表示される。これにより、複数の画像が重なったとしてもより優先度の高い画像を表示し続けることができる。
【図面の簡単な説明】
【００１７】
【図１】第１の実施形態による画像表示装置の機能構成を示すブロック図である。
【図２】本実施形態におけるリモコンの外観構成を示す概略図である。
【図３】本実施形態による画像表示装置の領域選択処理を説明するための概略図である。
【図４】本実施形態による画像表示装置の領域移動処理を説明するための概略図である。
【図５】本実施形態による画像表示装置の領域移動処理の手順を示すフローチャートである。
【図６】第２の実施形態による画像表示装置の領域移動処理を説明するための概略図である。
【図７】本実施形態による画像表示装置の領域移動処理の手順を示すフローチャートである。
【発明を実施するための形態】
【００１８】
以下、図面を参照しながら本発明の実施形態について詳しく説明する。
図１は、本発明の一実施形態による画像表示装置１の機能構成を示すブロック図である。
画像表示装置１は、プロジェクターであり、入力部１０１と、合成部１０２と、出力部１０３と、領域選択部１０４と、記憶部１０５と、制御部１０６と、記憶媒体接続部１０７と、リモコン受信部１０８とを含んで構成される。
【００１９】
入力部１０１は、例えば図示しないパーソナルコンピューターなどからの映像信号を入力とし、入力された映像信号を合成部１０２と領域選択部１０４に出力する。
記憶部１０５は、フレームメモリーと複数のレジスターから構成される。フレームメモリーは、１画面分の画像情報を記憶するメモリーである。
リモコン受信部１０８は、リモコン（リモートコントローラー）２の操作内容に基づく信号を受信し、受信した信号を制御部１０６に出力する。
制御部１０６は、リモコン受信部１０８が受信した信号に基づいて選択領域の開始位置と幅と高さを領域選択部１０４に通知し、選択領域の開始位置と幅と高さを記憶部１０５のレジスターに書き込む。選択領域とは、映像信号が示す画像における任意の領域である。
領域選択部１０４は、入力される映像信号が示す画像情報から選択領域内に位置する画像情報を切り出す。そして、領域選択部１０４は、制御部１０６から通知された選択領域の開始位置と幅と高さに基づいて、記憶部１０５のフレームメモリー内の選択領域に対応する位置に切り出した画像情報を書き込む。
【００２０】
合成部１０２は、入力部１０１から入力される映像信号が示す画像情報に、記憶部１０５のフレームメモリーに記憶されている画像情報を重ね合わせて合成した画像情報を生成し、生成した画像情報を示す映像信号を出力部１０３に出力する。
出力部１０３（表示部）は、光源と光源からの光を変調する光変調装置とドライバーを備え、ドライバーが光変調装置を駆動することにより合成部１０２から入力された映像信号が示す画像を投射表示する。光源としては、高圧放電灯やＬＥＤ（発光ダイオード）など、各種の光源を採用することができる。また、光変調装置としては、液晶ライトバルブやＤＭＤ（デジタルマイクロミラーデバイス）（登録商標）など、各種のデバイスを採用することができる。
記憶媒体接続部１０７は、例えばメモリーカードやハードディスクなどの記憶媒体３を接続する。
【００２１】
図２は、本実施形態におけるリモコン２の外観構成を示す概略図である。
リモコン２（操作部）は、選択ボタン２１と、ポインター移動ボタン２２と、選択解除ボタン２３と、記憶ボタン２４とを備えており、ユーザーの操作を受ける。選択ボタン２１は、選択領域の選択開始の指示を受け付ける。ポインター移動ボタン２２は、ポインター移動の指示を受け付ける。選択解除ボタン２３は、選択領域の選択解除の指示を受け付ける。記憶ボタン２４は、選択領域の画像情報を記憶媒体３に書き込む指示を受け付ける。リモコン２は、各ボタンが操作されると、その操作内容に基づく信号を画像表示装置１のリモコン受信部１０８に送信する。また、ポインター移動ボタン２２において、ポインター移動ボタン２２を正面視したときの上方向の部分を上部、下方向の部分を下部、左方向の部分を左部、右方向の部分を右部と定義する。
【００２２】
次に、図３から図５を参照して本実施形態による画像表示装置１の処理について説明する。
図３は、本実施形態による画像表示装置１の領域選択処理を説明するための概略図である。ここで、出力部１０３が表示する表示画面３００において左右方向をＸ軸とし、上下方向をＹ軸と定義する。出力部１０３は、入力される映像信号が示す画像とリモコン２のポインターＰを表示画面３００に表示する。なお、画像表示装置１はポインターＰの表示位置を図示しないポインター記憶部に記憶しており、出力部１０３はポインター記憶部を参照してポインターＰを表示する。リモコン２を操作するユーザーは、ポインター移動ボタン２２を操作してポインターＰを表示画面３００上で移動させる。例えば、ポインター移動ボタン２２の上部が押下されると、画像表示装置１はポインターＰをＹ軸の正方向へ移動させる。また、ポインター移動ボタン２２の下部が押下されると、画像表示装置１はポインターＰをＹ軸の負方向へ移動させる。また、ポインター移動ボタン２２の右部が押下されると、画像表示装置１はポインターＰをＸ軸の正方向へ移動させる。また、ポインター移動ボタン２２の左部が押下されると、画像表示装置１はポインターＰをＸ軸の負方向へ移動させる。
【００２３】
図３（ａ）は、表示画面３００の表示例を示す概略図である。この図において、リモコン２を操作して選択領域Ａを選択する場合、ユーザーはまずポインター移動ボタン２２を操作してポインターＰを点ｐ（ｘ１，ｙ１）に移動させる。リモコン２は、ポインター移動ボタン２２の各部が押下されたことを示す信号を画像表示装置１のリモコン受信部１０８に送信する。制御部１０６は、リモコン受信部１０８が受信した信号に基づいてポインター記憶部に記憶されているポインターＰの位置を書き換える。次に、ユーザーは、選択ボタン２１を押下する。リモコン２は、選択ボタン２１が押下されたことを示す信号を画像表示装置１のリモコン受信部１０８に送信する。制御部１０６は、リモコン受信部１０８が受信した信号に基づいて選択領域の選択が開始されたと判定し、選択領域Ａの開始位置を点ｐとする。次に、ユーザーは、ポインター移動ボタン２２を押下したままポインターＰを点ｑ（ｘ２，ｙ２）に移動する。リモコン２は、ポインター移動ボタン２２の各部が押下されたことを示す信号を画像表示装置１のリモコン受信部１０８に送信する。制御部１０６は、リモコン受信部１０８が受信した信号に基づいてポインター記憶部に記憶されているポインターＰの位置を書き換える。次に、ユーザーは、ポインター移動ボタン２２を離す。リモコン２は、ポインター移動ボタン２２が離されたことを示す信号を画像表示装置１のリモコン受信部１０８に送信する。制御部１０６は、ポインター移動ボタン２２が所定時間以上押下されていない状態である場合に選択領域の選択が終了したと判定し、選択領域Ａの終了位置を点ｑとする。
【００２４】
＜領域選択処理＞
（１）制御部１０６は、リモコン２からの信号に基づいて選択領域Ａが選択されたと判定し、選択領域Ａの開始位置ｐのＸＹ座標値（ｘ１，ｙ１）と高さ（ｙ１−ｙ２）と幅（ｘ２−ｘ１）を領域選択部１０４へ通知する。また、制御部１０６は、選択領域Ａの開始位置のＸＹ座標値と高さと幅とを記憶部１０５のレジスターに書き込む。
（２）領域選択部１０４は、入力された選択領域Ａの開始位置と高さと幅とに基づいて、入力部１０１から入力される映像信号が示す画像情報から選択領域Ａ内に位置する画像情報を切り出し、切り出した画像情報を記憶部１０５のフレームメモリーに書き込む。つまり、記憶部１０５は、リモコン２が受ける選択領域の選択の指示に応じて、入力部１０１が入力する映像信号における選択領域の画像情報を記憶する。
（３）合成部１０２は、記憶部１０５のレジスターに記憶されている選択領域Ａの開始位置と高さと幅を参照して、記憶部１０５のフレームメモリーから選択領域Ａの画像情報を取得する。そして、合成部１０２は、取得した画像情報を入力部１０１から入力される映像信号が示す画像情報の選択領域Ａに重ね合わせた画像情報を生成する。具体的には、合成部１０２は、入力される映像信号が示す画像情報において選択領域Ａ内に位置する画像情報を、取得した画像情報で置き換える。そして、合成部１０２は、生成した画像情報を示す映像信号を出力部１０３に出力する。
（４）出力部１０３は、ドライバーにより光変調装置を駆動して光源からの光を変調することにより合成部１０２から入力された映像信号が示す画像を投射表示する。
【００２５】
また、画像表示装置１は、選択領域を複数選択可能である。図３（ａ）に示す例では、選択領域Ａと選択領域Ｂが選択されている。つまり、記憶部１０５のフレームメモリーは、複数の選択領域（選択領域Ａと選択領域Ｂ）の画像情報を記憶する。
【００２６】
図３（ｂ）は、画像表示装置１に入力される映像信号が示す画像（画面）が切り替わった際の表示画面３００の表示例を示す概略図である。合成部１０２は、記憶部１０５のフレームメモリーに記憶された選択領域の画像情報を入力部１０１から入力される映像信号が示す画像情報に重ね合わせた画像情報を生成する。このため、この図に示すように、入力部１０１に入力される映像信号が示す画像が切り替わったとしても選択領域Ａ及び選択領域Ｂの画像は表示されたままである。
【００２７】
図４は、本実施形態による画像表示装置１の領域移動処理を説明するための概略図である。選択領域Ａを位置ｐから位置ｂに移動する場合、まず、ユーザーは、ポインター移動ボタン２２を操作して選択領域Ａ上でポインター移動ボタン２２を押下する。リモコン２は、ポインター移動ボタン２２が押下されたことを示す信号を画像表示装置１のリモコン受信部１０８に送信する。制御部１０６は、リモコン受信部１０８が受信した信号とポインターＰの位置に基づいて、選択領域Ａを移動すると判定する。次に、ユーザーは、ポインター移動ボタン２２を押下したまま選択領域Ａの開始位置が点ｂになるようにポインターＰを移動する。リモコン２は、ポインター移動ボタン２２の各部が押下されたことを示す信号を画像表示装置１のリモコン受信部１０８に送信する。制御部１０６は、リモコン受信部１０８が受信した信号に基づいてポインター記憶部に記憶されているポインターＰの位置を書き換える。次に、ユーザーは、ポインター移動ボタン２２を離す。リモコン２は、ポインター移動ボタン２２が離されたことを示す信号を画像表示装置１のリモコン受信部１０８に送信する。制御部１０６は、ポインター移動ボタン２２が所定時間以上押下されていない状態である場合に、選択領域Ａの移動先位置を位置ｂとする。ここで、位置ｐのＸＹ座標値から位置ｂのＸＹ座標値を減算した値を位置ｐから位置ｂに移動した移動量とする。
【００２８】
また、選択領域Ａを位置ｃに移動すると、選択領域Ａと選択領域Ｂは重なる。選択領域Ａと選択領域Ｂが重なるとは、選択領域Ａの一部（又は全部）が選択領域Ｂの一部（又は全部）に重なることである。また、選択領域Ａを位置ｄに移動すると、選択領域Ａは表示画面３００からはみ出す。選択領域Ａが表示画面３００からはみ出すとは、選択領域Ａの一部（又は全部）が表示画面３００外に位置することである。
【００２９】
＜領域移動処理＞
図５は、本実施形態による画像表示装置１の領域移動処理の手順を示すフローチャートである。以下、選択領域Ａを移動する場合を例に説明する。
まず、ステップＳ１では、制御部１０６は、リモコン２からの信号に基づいて選択領域Ａの移動先位置を決定する。
【００３０】
次に、ステップＳ２では、制御部１０６は、選択領域Ａを移動先位置に移動した結果、選択領域Ａと他の選択領域Ｂが重なるか否かを判定する。選択領域Ａが他の選択領域Ｂと重ならない場合には、ステップＳ３へ進む。一方、選択領域Ａが他の選択領域Ｂと重なる場合には処理を終了する。つまり、制御部１０６は、選択領域Ａと他の選択領域Ｂが重なる位置（例えば位置ｃ）に選択領域Ａを移動しない。なお、本実施形態では、制御部１０６は、選択領域Ａと他の選択領域Ｂが重なる場合には、選択領域Ａを移動しないが、例えば選択領域Ａが他の選択領域Ｂに接する位置（例えば位置ｂ）に選択領域Ａを移動してもよい。或いは、移動量に基づいて選択領域Ａを選択領域Ｂと重ならない位置に移動してもよい。つまり、制御部１０６は、選択領域Ａが選択領域Ｂと重ならないように選択領域Ａの画像を表示する位置を決定する。
【００３１】
ステップＳ３では、制御部１０６は、選択領域Ａを移動先位置に移動した結果、選択領域Ａが表示画面３００をはみ出るか否かを判定する。選択領域Ａが表示画面３００をはみ出ない場合には、ステップＳ４へ進む。一方、選択領域Ａが表示画面３００をはみ出る場合には処理を終了する。つまり、制御部１０６は、選択領域Ａが表示画面３００をはみ出る位置（例えば位置ｄ）に選択領域Ａを移動しない。
【００３２】
ステップＳ４では、制御部１０６は、選択領域Ａの画像を表示する位置を移動先位置（例えば位置ｂ）に決定する。つまり、制御部１０６は、リモコン２が受ける選択領域Ａを移動する指示に応じて、選択領域の画像を表示する位置を決定する。そして、制御部１０６は、記憶部１０５のフレームメモリーに記憶されている選択領域Ａの画像情報を位置ｂに対応する位置に移動し、記憶部１０５のレジスターに記憶された開始位置をｐからｂに書き換える。合成部１０２は、記憶部１０５を参照して、制御部１０６が決定した位置に選択領域Ａの画像が表示されるように画像情報を生成する。これにより、表示画面３００上において、選択領域Ａの画像が位置ｐから位置ｂに移動する。
【００３３】
次に、領域記録処理について説明する。画像表示装置１は、記憶部１０５のフレームメモリーに記憶された画像情報を読み出し、読み出した画像情報を記憶媒体接続部１０７に接続された記憶媒体３に書き込む。
＜領域記録処理＞
（１）ユーザーが記憶ボタン２４を押下すると、リモコン２は記憶ボタン２４が押下されたことを示す信号を画像表示装置１のリモコン受信部１０８に送信する。リモコン受信部１０８は、受信した信号を制御部１０６に出力する。
（２）制御部１０６（画像情報出力部）は、記憶部１０５のフレームメモリーに記憶された画像情報を読み出し、読み出した画像情報を記憶媒体接続部１０７（接続部）に接続された記憶媒体３に書き込む。
【００３４】
次に、領域解除処理について説明する。画像表示装置１は、ポインターＰが選択領域上にあるときに、選択解除ボタン２３が押下されると、選択領域の画像の表示を停止する。
＜領域解除処理＞
（１）ユーザーが選択領域Ａ上で選択解除ボタン２３を押下すると、リモコン２は選択解除ボタン２３が押下されたことを示す信号を画像表示装置１のリモコン受信部１０８に送信する。リモコン受信部１０８は、受信した信号を制御部１０６に出力する。
（２）制御部１０６は、記憶部１０５のフレームメモリーに記憶された選択領域Ａの画像情報とレジスターに記憶された選択領域Ａの開始位置と高さと幅を削除する。これにより、表示画面３００において、選択領域Ａの画像の表示が停止する。
【００３５】
このように、本実施形態によれば、リモコン２の操作により選択された選択領域の画像情報を記憶部１０５に記憶し、記憶した画像情報を入力される映像信号が示す画像情報に重ね合せて表示する。これにより、画面が切り替わったとしても選択された任意の領域の画像を表示し続けることができ、画像表示装置１の利便性が高まる。
また、リモコン２が受けた操作に応じて記憶部１０５に記憶した画像情報の位置を書き換えているため、表示画面３００上の任意の位置に選択領域の画像を移動することができる。
【００３６】
［第２の実施形態］
次に、第２の実施形態による画像表示装置１を説明する。図６は、本実施形態による画像表示装置１の領域移動処理を説明するための概略図である。第１の実施形態では、選択領域Ａの画像を他の選択領域Ｂと重なる位置に移動することはできなかったが、本実施形態では、選択領域Ａの画像が他の選択領域Ｂと重なる位置に移動された場合には選択領域Ｂの画像に選択領域Ａの画像を重ねて表示する。図６に示す例では、選択領域Ａを位置ｐから位置ｅに移動すると、画像表示装置１は選択領域Ｂの画像に選択領域Ａの画像を重ねて表示する。
【００３７】
本実施形態における記憶部１０５は複数のフレームメモリー１〜Ｎ（Ｎは２以上の整数）と複数のレジスターを備える。領域選択部１０４は、複数の選択領域が選択されると、各選択領域の画像情報を別々のフレームメモリーに書き込む（例えば選択領域Ａの画像情報をフレームメモリー１に書き込み、選択領域Ｂの画像情報をフレームメモリー２に書き込む）。また、記憶部１０５のレジスターは、各選択領域の開始位置と幅と高さに加えて、各選択領域の優先度を記憶する。他の構成は第１の実施形態と同様であるため説明を省略する。
【００３８】
＜領域移動処理＞
図７は、本実施形態による画像表示装置１の領域移動処理の手順を示すフローチャートである。以下、選択領域Ａを位置ｅに移動する場合を例に説明する。
まず、ステップＳ１１では、制御部１０６が、リモコン２からの信号に基づいて選択領域Ａの移動先位置を決定する。
【００３９】
次に、ステップＳ１２では、制御部１０６は、選択領域Ａを移動先位置に移動した結果、選択領域Ａが表示画面３００をはみ出るか否かを判定する。選択領域Ａが表示画面３００をはみ出ない場合には、ステップＳ１３へ進む。一方、選択領域Ａが表示画面３００をはみ出る場合には処理を終了する。つまり、制御部１０６は、選択領域Ａが表示画面３００をはみ出る位置に選択領域Ａを移動しない。
【００４０】
次に、ステップＳ１３では、制御部１０６は、選択領域Ａを移動先位置に移動した結果、選択領域Ａと他の選択領域Ｂが重なるか否かを判定する。選択領域Ａが他の選択領域Ｂと重ならない場合には、ステップＳ１５へ進む。一方、選択領域Ａが他の選択領域Ｂと重なる場合には、ステップＳ１４へ進む。
【００４１】
ステップＳ１４では、制御部１０６は、現在移動している選択領域Ａの優先度を選択領域Ｂの優先度より高くして記憶部１０５のレジスターに書き込む。なお、本実施形態では、移動している選択領域の優先度を高くしたが、例えば選択領域が選択された順序に基づいて優先度を決定してもよい。つまり、制御部１０６は、選択領域Ａと他の選択領域Ｂが重なる場合、各選択領域の優先度を決定する。
【００４２】
次に、ステップＳ１５では、制御部１０６は、記憶部１０５のフレームメモリー１に記憶されている選択領域Ａの画像情報を位置ｅに対応する位置に移動し、記憶部１０５のレジスターに記憶された選択領域Ａの開始位置をｐからｅに書き換える。合成部１０２は、記憶部１０５のレジスターを参照して、優先度の高い選択領域の画像が上に表示されるように画像情報を合成する。本例では、合成部１０２は、選択領域Ａの画像が最も上に表示されるように各画像情報を重ね合わせる。これにより、選択領域Ａが選択領域Ｂに重なる位置に移動された場合には、選択領域Ｂの画像の上に選択領域Ａの画像が表示される。
【００４３】
このように、本実施形態によれば、複数のフレームメモリーを用いて選択領域の画像情報を記憶しているため、複数の選択領域の画像を重ね合わせて表示することができる。これにより、選択領域の画像を表示画面３００内の任意の位置に移動することができる。
【００４４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、画像表示装置１は選択領域の画像を表示画面３００からはみ出る位置に移動できないが、例えば入力される映像信号が示す画像情報より大きいサイズのフレームメモリーを使用して、選択領域を表示画面３００からはみ出る位置に移動できるようにしてもよい。
また、本実施形態では、画像表示装置１はプロジェクターであるが、例えばテレビ放送の映像信号を受信するテレビ受信機などでもよい。この場合、例えば懸賞などの応募先（住所や電話番号）などの情報を選択して表示し続けることにより、必要な情報を取り逃がすことを軽減することができる。さらに、本実施形態ではプロジェクターを例示して説明したが、直視型のＦＰＤ（フラットパネルディスプレイ）を備えた画像表示装置に本発明を適用することもできる。ＦＰＤとしては、液晶ディスプレイのほか、有機ＥＬ（エレクトロルミネッセンス）ディスプレイ、プラズマディスプレイなどを採用することができる。
【符号の説明】
【００４５】
１…画像表示装置  ２…リモコン  ３…記憶媒体  １０１…入力部  １０２…合成部  １０３…出力部  １０４…領域選択部  １０５…記憶部  １０６…制御部  １０７…記憶媒体接続部  １０８…リモコン受信部
【図１】
2010191362.tif 000003
【図２】
2010191362.tif 000004
【図３】
2010191362.tif 000005
【図４】
2010191362.tif 000006
【図５】
2010191362.tif 000007
【図６】
2010191362.tif 000008
【図７】
2010191362.tif 000009